(57)【要約】【課題】バックグランドで稼働する各機能の利用状況をユーザに分かり易く提示する。【解決手段】映像及び又は音声を含むコンテンツの記録および出力が可能な記録再生装置であって、バックグラウンドで稼働する複数の機能について特定の利用状態であるか否かを所定期間集計した利用履歴を取得する履歴取得手段と、上記利用履歴に基づいて編集した、少なくとも上記複数の機能について時間帯毎に上記特定の利用状態の頻度を示したユーザインターフェイス画面を、所定の表示部に表示させる表示制御手段とを備える記録再生装置。【選択図】図３
2014022902.tif 000002
【特許請求の範囲】
【請求項１】
映像及び又は音声を含むコンテンツの記録および出力が可能な記録再生装置であって、
バックグラウンドで稼働する複数の機能について特定の利用状態であるか否かを所定期間集計した利用履歴を取得する履歴取得手段と、
上記利用履歴に基づいて編集した、少なくとも上記複数の機能について時間帯毎に上記特定の利用状態の頻度を示したユーザインターフェイス画面を、所定の表示部に表示させる表示制御手段と、を備えることを特徴とする記録再生装置。
【請求項２】
上記表示制御手段は、上記頻度が所定の基準以上である時間帯に上記複数の機能の少なくとも一部を有効状態にする動作モードを、当該基準を異ならせて複数生成し、当該複数の動作モードのいずれかを選択可能な選択欄を上記ユーザインターフェイス画面に含めて表示させる、ことを特徴とする請求項１に記載の記録再生装置。
【請求項３】
上記複数の機能のうち夫々一部の機能を制御するための複数の集積回路を備え、上記表示制御手段は、対応する集積回路が異なる機能毎に有効状態と時間帯との対応関係を異ならせた上記動作モードを生成することを特徴とする請求項２に記載の記録再生装置。
【請求項４】
上記表示制御手段は、上記各動作モードを選択した場合の節電効果を示す数値を上記ユーザインターフェイス画面に含めて表示させることを特徴とする請求項２または請求項３に記載の記録再生装置。
【請求項５】
上記複数の機能には、複数のテレビ放送チャンネルにかかるコンテンツを録画し続ける特定録画機能と、記録再生装置の待機状態において稼働状態へ移行するまでの時間を標準の移行時間よりも短縮させる起動時間短縮機能と、所定のネットワークを介して外部の通信機器と通信を行うネットワーク機能と、の少なくとも一部が含まれることを特徴とする請求項１〜請求項４のいずれか一項に記載の記録再生装置。
【請求項６】
上記複数の機能に上記特定録画機能を含む場合、上記履歴取得手段は、録画後に再生の対象となったコンテンツが録画されていた時間帯は、上記特定録画機能が上記特定の利用状態であったと判定することを特徴とする請求項５に記載の記録再生装置。
【請求項７】
上記複数の機能に上記起動時間短縮機能を含む場合、上記履歴取得手段は、上記起動時間短縮機能が有効状態に設定され且つコンテンツが出力されている時間帯は、上記起動時間短縮機能が上記特定の利用状態であると判定することを特徴とする請求項５または請求項６に記載の記録再生装置。
【請求項８】
上記複数の機能に上記ネットワーク機能を含む場合、上記履歴取得手段は、上記外部の通信機器から上記ネットワークを介して視聴対象のコンテンツにかかるデータが受信され、当該受信されたデータに基づくコンテンツが出力されている時間帯は、上記ネットワーク機能が上記特定の利用状態であると判定することを特徴とする請求項５〜請求項７のいずれか一項に記載の記録再生装置。
【発明の詳細な説明】
【技術分野】
【０００１】
本発明は、記録再生装置に関する。
【背景技術】
【０００２】
今日、ハードディスクドライブ（ＨＤＤ）を搭載したレコーダや、録画機能を備えたテレビジョンに代表される記録再生装置においては、多機能化および高機能化が進んでいる。このような記録再生装置では、リモートコントロール（リモコン）装置等を介して現在ユーザによる操作対象となっている処理とは別に並行して稼働する（バックグラウンドで稼働する）機能も有り、結果的にユーザの利便性を向上させている。一方、記録再生装置においては、ユーザの利便性向上とともに、消費電力量の増大抑制あるいは低減といった節電効果も強く求められている。
【０００３】
ここで、節電の設定に関する技術として、テレビジョン、ＤＶＤ、ＬＣＤにおける複数の節電項目を組み合わせてグループ化した複数の節電モードがメモリに記憶され、マイコンによって複数のうちの一つの節電モードをオン・オフ制御することにより、その節電モードが含む複数の節電項目を一括してオン・オフ制御する電子機器が知られている（特許文献１参照。）。また、映像表示装置の現状の動作設定における消費電力量を取得し、予め選択候補として登録された複数の推奨動作設定のうち現状の消費電力量より消費電力量が少なくなる推奨動作設定を表示した後、その推奨動作設定のいずれか一つを所定の操作入力に応じて選択し、選択された推奨動作設定に従って映像表示装置の動作設定を行う映像表示装置の構成が知られている（特許文献２参照。）。
【先行技術文献】
【特許文献】
【０００４】
【特許文献１】特開２００６‐２５４１８５号公報
【特許文献２】特開２０１１‐５９３８９号公報
【発明の概要】
【発明が解決しようとする課題】
【０００５】
上述したように記録再生装置においては、多くの機能がバックグラウンドで稼働しているが、それら機能の全てがユーザにとって常に有効活用されているとは限らない。そのため、ユーザの利便性および節電効果を適切なバランスで実現するには、このようなバックグラウンドで稼働する各機能が実際に有効に利用されているかを適切にユーザに情報として提供する必要があった。また、装置に対して節電のための設定を行うユーザに対して、より容易に設定を行えるような環境を提供する必要があった。
【０００６】
本発明は少なくとも上記課題の一つを解決するためになされたものであり、利便性と節電効果を所望のバランスで実現するために必要な情報を的確にユーザに提供し、また、ユーザの設定行為を容易にさせて上記利便性と節電効果の実現に資する記録再生装置を提供する。
【課題を解決するための手段】
【０００７】
本発明の態様の一つは、映像及び又は音声を含むコンテンツの記録および出力が可能な記録再生装置であって、バックグラウンドで稼働する複数の機能について特定の利用状態であるか否かを所定期間集計した利用履歴を取得する履歴取得手段と、上記利用履歴に基づいて編集した、少なくとも上記複数の機能について時間帯毎に上記特定の利用状態の頻度を示したユーザインターフェイス（ＵＩ）画面を、所定の表示部に表示させる表示制御手段と、を備える。
【０００８】
当該構成によれば、ＵＩ画面には、少なくとも上記バックグラウンドで稼働する複数の機能について、時間帯毎の特定の利用状態の頻度が示される。そのため、ユーザは、ＵＩ画面を見ることにより、バックグラウンドで稼働する複数の機能それぞれについて実際に有効に利用されているかを容易に理解することができ、結果、自己の利便性と節電効果を適切なバランスで実現するための設定を容易に行うことが可能となる。
【図面の簡単な説明】
【０００９】
【図１】記録再生装置の概略構成を示す図である。
【図２】ＵＩ表示処理を示すフローチャートである。
【図３】ＵＩ画面の一例を示す図である。
【図４】ＵＩ画面の他の例を示す図である。
【図５】動作設定処理を示すフローチャートである。
【図６】ＵＩ画面の他の例を示す図である。
【発明を実施するための形態】
【００１０】
本発明の実施形態として、上記表示制御手段は、上記頻度が所定の基準以上である時間帯に上記複数の機能の少なくとも一部を有効状態にする動作モードを、当該基準を異ならせて複数生成し、当該複数の動作モードのいずれかを選択可能な選択欄を上記ＵＩ画面に含めて表示させる、としてもよい。
本発明の実施形態として、記録再生装置は上記複数の機能のうち夫々一部の機能を制御するための複数の集積回路を備え、上記表示制御手段は、対応する集積回路が異なる機能毎に有効状態と時間帯との対応関係を異ならせた上記動作モードを生成するとしてもよい。
本発明の実施形態として、上記表示制御手段は、上記各動作モードを選択した場合の節電効果を示す数値を上記ＵＩ画面に含めて表示させるとしてもよい。
本発明の実施形態として、上記複数の機能には、複数のテレビ放送チャンネルにかかるコンテンツを録画し続ける特定録画機能と、記録再生装置の待機状態において稼働状態へ移行するまでの時間を標準の移行時間よりも短縮させる起動時間短縮機能と、所定のネットワークを介して外部の通信機器と通信を行うネットワーク機能と、の少なくとも一部が含まれるとしてもよい。
【００１１】
本発明の実施形態として、上記複数の機能に上記特定録画機能を含む場合、上記履歴取得手段は、録画後に再生の対象となったコンテンツが録画されていた時間帯は、上記特定録画機能が上記特定の利用状態であったと判定するとしてもよい。
本発明の実施形態として、上記複数の機能に上記起動時間短縮機能を含む場合、上記履歴取得手段は、上記起動時間短縮機能が有効状態に設定され且つコンテンツが出力されている時間帯は、上記起動時間短縮機能が上記特定の利用状態であると判定するとしてもよい。
本発明の実施形態として、上記複数の機能に上記ネットワーク機能を含む場合、上記履歴取得手段は、上記外部の通信機器から上記ネットワークを介して視聴対象のコンテンツにかかるデータが受信され、当該受信されたデータに基づくコンテンツが出力されている時間帯は、上記ネットワーク機能が上記特定の利用状態であると判定するとしてもよい。
【００１２】
また、本発明の思想は、記録再生装置としてだけではなく、記録再生装置が実現する処理工程を有する方法の発明や、当該処理工程をコンピュータに実行させるコンピュータ読取可能なプログラムの発明としても具現化される。
【００１３】
以下、図面を参照しながら本発明の実施形態を更に説明する。
図１は、本実施形態にかかる装置構成を概略的に示したブロック図である。記録再生装置１０は、チューナ１１、制御部１２、操作部１３、赤外線（ＩＲ）受光部１４、ディスクドライブ１５、ＨＤＤ１６、ネットワーク・インターフェイス（Ｉ／Ｆ）１７などを備える。記録再生装置１０としては、例えば、ＤＶＤ（Digital Versatile Disk）やＢＤ（Blu-ray Disc）等のデジタルメディアやＨＤＤへの映像及び又は音声を含むコンテンツの記録、当該デジタルメディアやＨＤＤに記録されたコンテンツの再生等が可能なプレーヤやレコーダ等が該当する。
【００１４】
記録再生装置１０と通信可能に接続した表示装置２０は、例えば、タイミングコントローラ（Ｔ‐ＣＯＮ）２１や表示パネル２２や音声出力部２３（スピーカ等）等を備えるテレビジョンである。表示パネル２２は、例えば、液晶パネルや、プラズマディスプレイパネルや、有機ＥＬディスプレイ等が該当する。あるいは、記録再生装置１０の内部構成と表示装置２０の内部構成とを併せ持った装置を一つの製品（テレビジョン１）として把握することも可能であり、このようなテレビジョン１を、本発明の記録再生装置と把握することも可能である。
【００１５】
制御部１２では、ＣＰＵや各種メモリ（ＲＯＭやＲＡＭ等）を搭載し、所定のプログラムに従ってＣＰＵが記録再生装置１０を制御する。より詳しくは、制御部１２は、例えば、サブマイクロコンピュータ（サブマイコン）１２ａ、および複数のシステムオンチップ（ＳｏＣ）１２ｂ，１２ｃ等を含む。サブマイコン１２ａ、ＳｏＣ１２ｂ、ＳｏＣ１２ｃは夫々、記録再生装置１０を制御するためのＣＰＵや各種メモリ等がワンチップ化された集積回路であり、それぞれが独立した制御部であるとも言える。チューナ１１は、制御部１２による制御下で、放送信号を受信し、中間周波信号（ＩＦ）を制御部１２へ出力する。制御部１２は、ＩＦに基づいて映像信号や音声信号をデコードしたり、映像信号に対して所定の補正や画質調整を実行し、映像信号や音声信号を表示装置２０へ出力したりする。
【００１６】
ディスクドライブ１５は、挿入されたデジタルメディアを対象として情報の読み出しおよび情報の書き込みが可能である。ＨＤＤ１６は、記憶手段の一種に該当し、チューナ１１を介して受信された放送信号に含まれる番組（コンテンツの一種）や、所定のネットワーク回線（例えばＬＡＮ）を介してダウンロードされた動画等の各種コンテンツを保存することができる。制御部１２は、ディスクドライブ１５がデジタルメディアから読み出したコンテンツやＨＤＤ１６から読み出したコンテンツにかかる映像信号や音声信号を表示装置２０へ出力することもできる。
【００１７】
表示装置２０においては、Ｔ‐ＣＯＮ２１は、入力した映像信号をフレームメモリ（図示せず）に一時的に保存しつつ、当該保存した信号に対応する駆動信号を所定のタイミングで表示パネル２２に出力することにより、画素の配列により構成された表示パネル２２を駆動して表示パネル２２に映像信号に基づく映像を表示させる。また、表示装置２０においては、音声出力部２３は、入力した音声信号をアンプにて適宜増幅した上でスピーカから出力する。
【００１８】
操作部１３は、ボタンやスイッチやタッチパネル等からなり、ユーザが入力する指示を受け付ける。ＩＲ受光部１４は、ユーザが操作するリモコン装置３０から送信されるＩＲ信号を受信する。サブマイコン１２ａは、記録再生装置１０がスタンバイ状態か稼働状態かに関わらず、電源供給を受けて稼働状態にあり、操作部１３やＩＲ受光部１４を介したユーザ入力を監視し、ユーザ入力による指示に応じた制御を実行する。なお、記録再生装置１０は、ディスクドライブやＨＤＤを筺体に内蔵する以外にも、ＵＳＢ（Universal Serial Bus）等の通信規格を通じて外付けのディスクドライブやＨＤＤと接続しても良い。また、記録再生装置１０は、図１に示した構成以外にも、映像や音声を外部から入力するための外部入力端子、電源回路、その他公知の各構成を備え得る。
【００１９】
図２は、本実施形態において記録再生装置１０が実行可能なＵＩ表示処理をフローチャートにより示している。ＵＩ表示処理は、制御部１２が所定のプログラムに従った制御を行なうことによりに実現される。まずステップＳ１００では、制御部１２は、記録再生装置１０においてバックグラウンドで稼働する複数の機能について、特定の利用状態であるか否かを所定期間集計した利用履歴を取得する（履歴取得手段）。バックグラウンドで稼働する複数の機能（以下、単に複数の機能とも呼ぶ。）には、例えば、全録機能（特定録画機能）と、瞬速起動機能（起動時間短縮機能）と、ネットワーク機能とのうち少なくとも一部を含む。また、特定の利用状態とは、ユーザにとって有効に利用されている状態（ユーザの利便性に真に役立っている状態）を意味する。また、所定期間とは、例えば１ヶ月程度の期間を言う。制御部１２は、定期的あるいは不定期に所定期間分の利用履歴の集計を繰り返すことにより最新の利用履歴を保存するようにしてもよいし、利用履歴を常時集計しつつ直近の所定期間分の利用履歴を保存するようにしてもよい。また、各機能の利用履歴は、時間帯（例えば１時間）単位で、上記特定の利用状態に該当した時間帯と該当しなかった時間帯とを区別した情報である。
【００２０】
全録機能とは、全チャンネル録画機能とも言われ、設置された記録再生装置１０が受信可能なテレビ放送チャンネル全ての番組をそれらの放送時間中ＨＤＤ１６に録画し続ける機能を言う。従って、ユーザの操作により全録機能が有効状態に設定されれば、理論的には記録再生装置１０が受信可能な全チャンネルの全番組が録画される。ただし、全録機能を有効状態に設定することで消費電力量は増大する。なお、記録再生装置１０が同時に録画可能なチャンネル数は、当該装置が搭載するチューナの数に依存する。そのため、本実施形態では、記録再生装置１０が受信可能なテレビ放送チャンネル全ての番組を録画する態様に限らず、複数のテレビ放送チャンネルにかかるコンテンツを録画し続ける態様も含めて全録機能（特定録画機能）と呼ぶこととする。
【００２１】
制御部１２は、全録機能についての利用履歴を集計する場合、当該機能が有効状態に設定されていること及び全録機能による録画後に再生の対象となった番組の存在を監視する。そして、全録機能による録画後に再生（表示装置２０への出力）の対象となった番組が存在する場合、その番組を録画していた時間帯については、全録機能が上記特定の利用状態であったと判定する。つまり、単に全録機能が稼働していた時間帯ではなく、結果的に視聴対象となる番組を録画していた時間帯を全録機能がユーザにとって有効に利用されていたと判定し、その時間帯を全録機能についての利用履歴に反映させる。
【００２２】
瞬速起動機能とは、記録再生装置１０のスタンバイ状態において稼働状態へ移行するまでの時間を標準の移行時間（例えば、Ｘ秒）よりも短縮させる機能を言う。従って、ユーザの操作により瞬速起動機能が有効状態に設定されれば、スタンバイ状態の記録再生装置１０に対してユーザがリモコン装置３０等の操作により電源オンの指示をした場合、上記Ｘ秒よりも短いＹ秒で記録再生装置１０が起動して稼働状態への移行が完了する。ただし、瞬速起動機能を有効にした上でのスタンバイ状態では、サブマイコン１２ａや操作部１３、ＩＲ受光部１４等、ユーザからの指示を受け付けるための最低限の機能を起動させている一般的なスタンバイ状態とは異なり、記録再生装置１０内の多くの主要部分（チューナ１１やＨＤＤ１６等）にも電源供給して起動させており、映像や音声の出力は停止させている。従って、瞬速起動機能を有効状態に設定することで消費電力量は増大する。
【００２３】
制御部１２は、瞬速起動機能についての利用履歴を集計する場合、当該機能が有効状態に設定され且つ何らかのコンテンツが記録再生装置１０から表示装置２０に出力されている時間帯については、瞬速起動機能が上記特定の利用状態であると判定する。つまり、単に瞬速起動機能が有効化されていただけでなく、ユーザが記録再生装置１０を稼働状態にさせて何らかのコンテンツを視聴していた時間帯を瞬速起動機能がユーザにとって有効に利用されていたと判定し、その時間帯を瞬速起動機能についての利用履歴に反映させる。
【００２４】
ネットワーク機能とは、所定のネットワークを介して外部の通信機器と通信を行う機能を言う。本実施形態ではネットワーク機能により、記録再生装置１０は、ネットワークＩ／Ｆ１７およびＬＡＮを介して接続されたサーバ４０と通信可能である。記録再生装置１０およびサーバ４０は、例えば、ＤＬＡＮ（Digital Living Network Alliance）による規格に対応した機器であり、サーバ４０に保存された動画ファイルや音楽ファイル等のコンテンツを記録再生装置１０が受信して再生することができる。ただし、ネットワーク機能を有効状態とすると、ユーザの指示に従ってあるいは自動的に、定期的あるいは不定期にサーバ４０との間で様々なデータを送受信するため、消費電力量は増大する。
【００２５】
制御部１２は、ネットワーク機能についての利用履歴を集計する場合、ユーザの操作により視聴対象として選択されたコンテンツにかかるデータをサーバ４０からＬＡＮおよびネットワークＩ／Ｆ１７を介して受信し、当該受信したデータに基づくコンテンツを表示装置２０へ出力している時間帯については、ネットワーク機能が上記特定の利用状態であると判定する。ここで言うコンテンツにかかるデータとは、コンテンツを構成する映像や音声を伝送するパケットが連続するトランスポートストリーム（ＴＳ）を指す。ただし、制御部１２は、サーバ４０からＴＳを受信している期間であっても、例えば、広告やアンケート等にかかるデータを受信している期間については、ネットワーク機能が上記特定の利用状態ではないと判定する。現在配信されているパケットの内容は、パケットに付された識別子やヘッダー等により判別可能である。つまり、単にネットワーク機能によりサーバ４０から情報をダウンロードしている時間帯ではなく、広告やアンケート等ユーザにとって重要ではない情報を除いた重要な情報をダウンロードし視聴している時間帯を、ネットワーク機能がユーザにとって有効に利用されていたと判定し、その時間帯をネットワーク機能についての利用履歴に反映させる。
【００２６】
なお制御部１２は、上記複数の機能について利用履歴を取得する処理と並行して、記録再生装置１０に接続されたテレビジョン（表示装置２０）の主電源がオンにされていたか否かの履歴を集計するとしてもよい。表示装置２０の主電源がオンにされていたか否かの情報は、例えば、ＨＤＭＩ（High-Definition Multimedia Interface）の規格による通信経路を介して表示装置２０から取得することができる。このように取得した表示装置２０の主電源オンの履歴は、上記複数の機能がそれぞれ有効利用されていたか否かの判定に役立てるとしてもよい。制御部１２は、このように収集した上記所定期間分の各履歴を所定のメモリに保存する。
【００２７】
次に、制御部１２は、操作部１３やＩＲ受光部１４を介してユーザからのＵＩ画面表示指示が入力されたことを検知した場合（ステップＳ１２０において“Ｙｅｓ”）、ステップＳ１４０へ進む。一方、ＵＩ画面表示指示が入力されない場合（ステップＳ１２０において“Ｎｏ”）は、利用履歴の集計作業中であれば同作業を継続し、利用履歴の集計作業を終えていれば次のユーザからの指示を待つ。
【００２８】
ステップＳ１４０では、制御部１２は、その時点で保存されている最新の上記所定期間分の利用履歴を編集することにより、少なくとも上記複数の機能について時間帯毎に上記特定の利用状態の頻度を示した表（利用頻度表）を生成する。かつ、制御部１２は、当該頻度が所定の基準以上である時間帯に上記複数の機能の少なくとも一部を有効状態にする動作モード（お勧めモード）を、当該基準を異ならせて複数生成する。
【００２９】
まず、利用頻度表の生成手法について説明する。制御部１２は、上記保存された利用履歴を、予め取得したカレンダー（暦）に基づいて休日（土日祝日）以外の日（平日）の分と、休日の分とに分ける。そして、平日分の利用履歴に基づき、平日の午前０時から午後２３時までの時間帯別（１時間毎）に、上記複数の機能それぞれの、上記特定の利用状態であった頻度（利用頻度）を算出する。例えば、上記所定期間内に平日が２０日在る場合、その２０日分の午前０時台の履歴のうち１０日分で全録機能について上記特定の利用状態であることが示されていれば、平日の午前０時台における全録機能の利用頻度は５０％ということになる。同様に、休日分の利用履歴に基づき、休日の午前０時から午後２３時までの時間帯別に、上記複数の機能それぞれの、上記特定の利用状態であった頻度（利用頻度）を算出する。さらに、表示装置２０の主電源オンの履歴に基づいて、平日、休日夫々に関し、午前０時から午後２３時までの時間帯別に、表示装置２０が主電源オン状態であった頻度（利用頻度）を算出する。
【００３０】
制御部１２は、このように算出した利用頻度を時間帯別かつ機能別に示した利用頻度表を画像データとして生成する。利用頻度表においては、頻度を具体的数値で表すとしてもよいが、数値ではなく複数段階で色分け等して表示するとしてもよい。例えば、８０％以上の頻度については第一の色、５０％以上８０％未満の頻度については第二の色、５０％未満の頻度については第三の色…、というように色で分けて頻度の程度を表す。
【００３１】
次に、お勧めモードの生成手法について説明する。一例として、制御部１２は、時間帯毎に、上記複数の機能それぞれの利用頻度のうち最も高い利用頻度を代表頻度として特定し、各代表頻度と上記所定の基準に該当する第１しきい値および第２しきい値（ただし、第１しきい値＜第２しきい値）とを比較する。そして、代表頻度が第１しきい値以上である時間帯についてのみ上記複数の機能を有効状態に設定するお勧めモード１を制定し、代表頻度が第２しきい値以上である時間帯についてのみ上記複数の機能を有効状態に設定するお勧めモード２を制定する。この方法によれば、お勧めモード２はお勧めモード１よりも上記複数の機能を有効状態に設定する時間が短くなる傾向にあるため、お勧めモード２はお勧めモード１よりも節電効果の高いモードであると言える。むろん、お勧めモードの数は２つに限られず、より多くのしきい値を用意することで多くのお勧めモードを制定することが可能である。
【００３２】
上記代表頻度の定義は上述したもの以外であってもよい。例えば、制御部１２は、時間帯毎に、上記複数の機能それぞれの利用頻度に所定の重み付けをした（係数を掛けた）値を積算した値を、その時間帯における代表頻度としてもよい。あるいは、制御部１２は、上記複数の機能それぞれの利用頻度のうち、規格上の消費電力量が最も多い機能（例えば全録機能）にかかる利用頻度を代表頻度としてもよい。制御部１２は、このように制定したお勧めモードの選択肢を示したお勧めモード選択欄を画像データとして生成する。
ステップＳ１６０では、制御部１２は、上記生成した画像データに基づくＵＩ画面を、表示装置２０に出力し表示パネル２２に表示させる（表示制御手段）。
【００３３】
図３は、ステップＳ１６０において表示されるＵＩ画面５０の一例である。ＵＩ画面５０は概略、利用頻度表５１およびお勧めモード選択欄５２を含む。利用頻度表５１では、例えば、横軸方向に時間帯（０時〜２３時）を示し、縦軸方向に上記複数の機能に対応する記述（瞬速起動機能に対応する「瞬速起動」、ネットワーク機能に対応する「ホームサーバ」、全録機能に対応する「全録」）を示し、かつ、各機能を平日と休日に分けた上で、各時間帯での利用頻度を色別で示している。同図では、最も濃いグレー色により相対的に最も利用頻度が高い時間帯（例えば、利用頻度８０％以上の時間帯）を示し、薄いグレー色によりそれよりも利用頻度が低い時間帯（例えば、利用頻度５０％以上８０％未満の時間帯）を示し、白色により相対的に最も利用頻度が低い時間帯（例えば、利用頻度５０％未満の時間帯）を示している。
【００３４】
なお、全録機能に関しては、さらに頻度を「録画」と「視聴」に分けて表示している。つまり、「録画」については常に最高頻度の状態を示し、「視聴」については、録画された番組の放送時刻に対応する時間帯に対し、番組が録画後に実際の視聴対象となった頻度に応じた色分けを行っている。さらに、利用頻度表５１には、「接続ＴＶ視聴」の欄も設けられ、当該欄において、表示装置２０が主電源オン状態であった頻度（利用頻度）を表している。
【００３５】
お勧めモード選択欄５２では、制定された各お勧めモードにおける時間帯毎の設定内容が色別で表形式にて示され、さらに、複数の選択欄５２ａ，５２ｂ，５２ｃ，５２ｄが示されている。つまり図３に示すように、お勧めモード１，２それぞれについて、平日／休日別に、各時間帯で上記複数の機能を有効状態（ＯＮ…グレー色）とするか無効状態（ＯＦＦ…白色）とするかが示されている。また、複数の選択欄５２ａ，５２ｂ，５２ｃ，５２ｄでは、お勧めモード１、お勧めモード２、個別設定、戻る、の何れか一つを選択可能となっている。
【００３６】
ここで、ステップＳ１４０におけるお勧めモードの生成手法は、上述した態様に限られない。上記お勧めモードでは、瞬速起動機能、ネットワーク機能、全録機能といったバックグラウンドで起動する複数の機能について、時間帯毎に一括で有効状態とするか否かといった設定方法を採っていた。しかし、これら複数の機能について、時間帯毎に個別にＯＮ／ＯＦＦするようにしてもよい。例えば、制御部１２は、上記複数の機能の利用頻度それぞれを上記しきい値と比較する。そして、お勧めモード１では、上記複数の機能それぞれについて利用頻度が第１しきい値以上である時間帯では機能をＯＮとし、お勧めモード２では、上記複数の機能それぞれについて利用頻度が第２しきい値以上である時間帯では機能をＯＮとするとしてもよい。
【００３７】
あるいは、上記複数の機能を、それら機能の制御主体となるＳｏＣでグループ分けし、当該グループ単位で、利用頻度に基づくしきい値判定を行うとしてもよい。例えば、本実施形態では、ＳｏＣ１２ｂは上記複数の機能のうち瞬速起動機能およびネットワーク機能の制御を担うものであり、ＳｏＣ１２ｃは上記複数の機能のうち全録機能の制御を担うものである。そこで制御部１２は、ＳｏＣ１２ｂに対応する機能（瞬速起動機能およびネットワーク機能）にかかる利用頻度から上記のように代表頻度を特定し、代表頻度と第１，第２しきい値との比較を行う。同様に、制御部１２は、ＳｏＣ１２ｃに対応する機能（全録機能）にかかる利用頻度から代表頻度を特定（この場合、全録機能の利用頻度＝代用頻度）し、代表頻度と第１，第２しきい値との比較を行う。この結果、制御部１２は、ＳｏＣ１２ｂに対応する機能の代表頻度が第１しきい値以上である時間帯はＳｏＣ１２ｂに対応する機能をＯＮとし、ＳｏＣ１２ｃに対応する機能の代表頻度が第１しきい値以上である時間帯はＳｏＣ１２ｃに対応する機能をＯＮとする、というお勧めモード１を制定する。同様に、制御部１２は、ＳｏＣ１２ｂに対応する機能の代表頻度が第２しきい値以上である時間帯はＳｏＣ１２ｂに対応する機能をＯＮとし、ＳｏＣ１２ｃに対応する機能の代表頻度が第２しきい値以上である時間帯はＳｏＣ１２ｃに対応する機能をＯＮとする、というお勧めモード２を制定する。
【００３８】
図４は、ステップＳ１６０において表示されるＵＩ画面５０の一例であって、図３とは異なる例を示している。図４は上記のように、対応するＳｏＣが異なる機能毎に有効状態と時間帯との対応関係を異ならせたお勧めモードを生成した場合の例である。図４では、お勧めモード選択欄５２の形態が図３と異なっている。つまり図４では、お勧めモード１，２夫々の中において３色以上に色分けされており、例えば、ＳｏＣ１２ｂに対応する機能（瞬速起動機能およびネットワーク機能）およびＳｏＣ１２ｃに対応する機能（全録機能）のすべてをＯＮとする時間帯を最も濃いグレー色により示し、ＳｏＣ１２ｂに対応する機能（瞬速起動機能およびネットワーク機能）をＯＮとしＳｏＣ１２ｃに対応する機能（全録機能）をＯＦＦとする時間帯を薄いグレー色により示し、上記複数の機能の全てをＯＦＦとする時間帯を白色により示している。むろん、ＳｏＣ１２ｃに対応する機能（全録機能）をＯＮとしＳｏＣ１２ｂに対応する機能（瞬速起動機能およびネットワーク機能）をＯＦＦとする時間帯を更に別の色により示してもよい。
【００３９】
このように利用頻度表５１を含むＵＩ画面５０を表示することで、ユーザは、バックグラウンドで稼働する上記複数の機能について、自身が実際にどの時間帯においてどのような頻度で有効に利用していかを一目で知ることができる。従って、これら複数の機能を有効状態とさせるか無効状態とさせるかについて最適な判断を下すことができる。また、上記のようなお勧めモード選択欄５２を含むＵＩ画面５０を表示することで、ユーザは、節電効果の異なる複数のお勧めモードを比較しながら、それぞれのお勧めモードにおいてどの時間帯に上記複数の機能（あるいは上記複数の機能の一部）が有効状態となるかを容易かつ確実に知ることができる。従って、自身の生活パターンを考慮して節電効果と利便性とのバランスが最適なモードを容易に選択することができる。
【００４０】
図５は、ＵＩ画面５０に基づく動作設定処理をフローチャートにより示している。
制御部１２は、動作モード（お勧めモード）の選択が、選択欄５２ａ，５２ｂを介して有ったか否か判定する。ユーザは、操作部１３あるいはリモコン装置３０を操作して選択欄５２ａあるいは選択欄５２ｂを選択することにより、お勧めモード１，２のいずれかを選択することができる。お勧めモードの選択が有った場合（ステップＳ２００において“Ｙｅｓ”）、ステップＳ２４０において制御部１２は、ステップＳ２００で選択されたお勧めモードを設定する。つまり、選択されたお勧めモードが示す１日のスケジュールに従って、以後、上記複数の機能それぞれについて有効状態としたり無効状態とする。一方、お勧めモードの選択が無かった場合（ステップＳ２００において“Ｎｏ”）、ステップＳ２２０において制御部１２は、選択欄５２ｃを介して個別設定の選択が有ったか否か判定する。個別設定の選択が有った場合（ステップＳ２２０において“Ｙｅｓ”）、ステップＳ２６０において制御部１２は、更なるユーザからの入力を促すための専用のＵＩ画面を表示させ、上記複数の機能それぞれについて有効状態とするか否かの設定や有効状態とする時間帯の制限の設定を受け付ける。そして、受け付けた個別の設定に応じて、以後、上記複数の機能それぞれについて有効状態としたり無効状態とする。
【００４１】
つまりユーザは、お勧めモードのいずれかを選択するという簡易な操作のみで、利便性と節電効果を適正化した動作モードを記録再生装置１０に対して設定することができる。また、ユーザは、個別設定を選択することで、お勧めモードによる設定よりも細くより自身の好みに合った設定を行うことができる。ステップＳ２２０において制御部１２は、個別設定の選択が無かった場合、つまり選択欄５２ｄを介して“戻る”の選択が有った場合（ステップＳ２２０において“Ｎｏ”）、当該動作設定処理を終了する。
【００４２】
本発明は上述の実施形態に限られるものではなく、その要旨を逸脱しない範囲において種々の態様において実施することが可能であり、例えば以下のような変形例も可能である。
記録再生装置１０においてバックグラウンドで稼働する複数の機能は上述したものに限られないことは言うまでも無い。また、上記複数の機能の利用頻度との比較対象となるしきい値は、固定された値である必要はなく、例えば、比較対象の機能に応じて値を異ならせるとしてもよい。また、上記ＵＩ画面５０では、利用頻度表５１およびお勧めモード選択欄５２を同一画面上に表示しているが、それらを異なる画面上に表示するとしてもよい。
【００４３】
また、ＵＩ画面５０に各お勧めモードを選択した場合の節電効果を示す数値を含めさせて当該ＵＩ画面５０を表示するとしてもよい。節電効果を示す数値とは、節電効果を直接的あるいは間接的に示す数値であればよく、例えば、お勧めモード毎の１日の消費電力や、お勧めモード毎の１月分の消費電力に基づく電気料金等が考えられる。また、上記バックグラウンドで稼働する複数の機能を常時有効状態とする標準モードと比較してお勧めモード毎に節約される消費電力や電気料金（標準モードと比較した場合の消費電力や電気料金のマイナス分）等を表示するとしてもよい。なお、装置が備える機能毎の有効状態における単位時間当たりの消費電力の規格値（予測値）や電気料金は予め決められている。そのため、制御部１２は、これら規格値や電気料金の情報を予め取得あるいは保持し、当該取得或いは保持した情報に基づいて、上記お勧めモード毎の節電効果を示す数値を算出する。
【００４４】
図６は、ステップＳ１６０において表示されるＵＩ画面５０の一例であって、図３，４とは異なる例を示している。図６に示すように、お勧めモード選択欄５２には、お勧めモード１，２毎に、節電効果を示す上記数値を含んだ数値欄５３，５４が表示される。数値欄５３，５４では、それぞれが対応するお勧めモードをユーザが選択した場合に実現される節電効果が、例えば“○○Ｗ”や“−△△Ｗ”等と具体的数値によって示されている。このように数値欄５３，５４を含むＵＩ画面５０を表示することで、ユーザは、いずれのお勧めモードを選択することでどの程度節電効果が生じるかを明確に知ることがきる。従って、ユーザは、節電効果と利便性とのバランスが自身にとって最適なモードを容易に選択することができる。
【符号の説明】
【００４５】
１…テレビジョン、１０…記録再生装置、１１…チューナ、１２…制御部、１２ａ…サブマイコン、１２ｂ，１２ｃ…ＳｏＣ、１３…操作部、１４…ＩＲ受光部、１５…ディスクドライブ、１６…ＨＤＤ、１７…ネットワークＩ／Ｆ、２０…表示装置（テレビジョン）、２１…Ｔ‐ＣＯＮ、２２…表示パネル、２３…音声出力部、３０…リモコン装置、４０…サーバ、５０…ＵＩ画面、５１…利用頻度表、５２…お勧めモード選択欄、５３，５４…数値欄
【図１】
2014022902.tif 000003
【図２】
2014022902.tif 000004
【図５】
2014022902.tif 000005
【図３】
2014022902.tif 000006
【図４】
2014022902.tif 000007
【図６】
2014022902.tif 000008